(57)【要約】【課題】コンクリート注型作業の前および作業中に、保持レールを迅速に、個別に、かつ確実に所定位置に保持することを可能にする位置決め装置を得る。【解決手段】コンクリートで固定すべき保持レール５０に位置決め素子４６，４８を取り付けるためのアダプタ１０は、保持レール５０を嵌め込むことができる収容部１４と、アダプタ１０に位置決め素子４６を取り付けることを可能にする、少なくとも１個の連結部３６，３８，４０とを有する。好適には、収容部１４は、底部１６および２個の脚部１８，２０とともにＵ字状の構成とすることによって保持レール５０を形状密着で保持できるようにし、また底部１６及び／又は脚部１８，２０の一方又は双方に、少なくともそれぞれ１個の連結部３６，３８，４０を設ける。【選択図】図２
2011241676.tif 000002
【特許請求の範囲】
【請求項１】
コンクリートで固定すべき保持レール(５０)に位置決め素子(４６，４８)を取り付けるためのアダプタ(１０)であって、該アダプタ(１０)は、前記保持レール(５０)を嵌め込むことができる収容部(１４)と、前記アダプタ(１０)に位置決め素子(４６)を取り付けることを可能にする、少なくとも１個の連結部(３６，３８，４０)とを有する構成としたアダプタ。
【請求項２】
請求項１に記載のアダプタにおいて、前記収容部(１４)を、底部(１６)および２個の脚部(１８，２０)とともにＵ字状の構成とすることにより、前記保持レール(５０)を形状密着で保持できるようにしたことを特徴とするアダプタ。
【請求項３】
請求項２に記載のアダプタにおいて、前記底部(１６)及び／又は前記脚部(１８，２０)の一方又は双方に、少なくともそれぞれ１個の連結部(３６，３８，４０)を設けたことを特徴とするアダプタ。
【請求項４】
請求項２又は３に記載のアダプタにおいて、前記少なくとも１個の脚部(１８，２０)に、固定素子(３２)を設け、この固定素子(３２)に固着素子を固着する構成としたことを特徴とするアダプタ。
【請求項５】
請求項４に記載のアダプタにおいて、前記固定素子(３２)はアイレット(６６、６８)として構成し、前記固着素子は前記アイレット(６６、６８)を通過する結束具(７５)として構成したことを特徴とするアダプタ。
【請求項６】
請求項４に記載のアダプタにおいて、前記固定素子(３２)をフックとして構成し、前記固着素子を前記フックに係止する蓋(２２)として構成したことを特徴とするアダプタ。
【請求項７】
請求項６に記載のアダプタにおいて、前記蓋(２２)を、ヒンジ(３４)により、前記脚部(１８，２０)のうち一方に固定したことを特徴とするアダプタ。
【請求項８】
請求項１〜７のいずれか一項に記載のアダプタにおいて、前記連結部(３６，３８，４０)は、溝、レール、バヨネット連結部又はねじの形式として形成したアンダーカットを有する構成としたことを特徴とするアダプタ。
【請求項９】
コンクリートで固定すべき保持レール(５０)を保持するための保持システムであって、請求項１〜８のいずれか一項に記載のアダプタ(１０)と、該アダプタ(１０)の連結部(３６，３８，４０)に取り付ける、少なくとも１個の位置決め素子(４６)とを有する保持システム。
【請求項１０】
請求項９に記載の保持システムにおいて、前記位置決め素子(４６)が、スペーサとして機能する支柱(６０)を有する構成としたことを特徴とする保持システム。
【請求項１１】
請求項９又は１０に記載の保持システムにおいて、前記位置決め素子(４６)の長さを調節可能にしたことを特徴とする保持システム。
【請求項１２】
請求項１１に記載の保持システムにおいて、前記支柱(６０)を、調節可能に前記アダプタ(１０)に取り付けたことを特徴とする保持システム。
【請求項１３】
請求項９〜１２のいずれか一項に記載の保持システムにおいて、前記位置決め素子(４６)は、台座(６４)を有する構成としたことを特徴とする保持システム。
【請求項１４】
請求項９〜１３のいずれか一項に記載の保持システムにおいて、前記アダプタ(１０)及び／又は前記位置決め素子(４６)を、少なくとも部分的に合成物質で構成したことを特徴とする保持システム。
【請求項１５】
請求項９〜１４のいずれか一項に記載の保持システムにおいて、前記アダプタ(１０)及び／又は前記保持素子(４６)を、少なくとも部分的にコンクリート又はセメントにより結合できる材料で構成したことを特徴とする保持システム。
【請求項１６】
コンクリートで固定すべき保持レール(５０)と、請求項１〜８のいずれか一項に記載のアダプタ(１０)とを有する保持システムであって、前記保持レール(５０)を堅固にアダプタ(１０)に保持し、かつ該アダプタ(１０)に、多数の利用可能な位置決め素子から選択した位置決め素子(４６)を取り付けた保持システム。
【発明の詳細な説明】
【技術分野】
【０００１】
本発明は、コンクリートで固定すべき保持レールに位置決め素子を取り付けるためのアダプタと、アダプタおよび位置決め素子を有する保持システム、ならびにコンクリートで固定すべき保持レールおよびアダプタを有する保持システムに関する。
【背景技術】
【０００２】
例えば、外装素子または屋根構造等の構造部分をコンクリート構造部に取り付けるため、コンクリート構造部に部分的に埋設した保持レールを使用する。保持レールは、コンクリート構造部のコンクリート注型作業前に、コンクリート構造部用の型枠自体、または型枠内部で所望の位置に取り付ける。これにより、保持レールは、生コンクリートを注型する際、この生コンクリートにより部分的に包囲される。コンクリートの硬化時に、保持レールまたは保持レールの裏側に設けるアンカー素子とコンクリート構造部との間で形状密着による接合が実現し、この接合により保持レールとコンクリート構造部との間で好適な荷重伝達が可能になる。コンクリート注型中、保持レールは、確実に所望の位置に保持する必要がある。これは、保持レールを硬化後には変位させることができないためである。
【０００３】
閉じた型枠、例えば壁型枠では、保持レールを型枠内側面で固定することができ、これにより、コンクリートの注型時における保持レールの変位を防止することができるが、例えば、天井用の開いた型枠ではこのような取り付けをすることはできない。さらに、保持レールは、構造上および静力学上の理由から、アンカー素子を鉄筋に支持させることもできない。保持レールを位置決めする１つの可能性として、特許文献１(国際公開第2008/007054号)に記載のような、保持装置がある。この保持装置は、レールの溝に係合し、かつこの保持装置を型枠の外側に配置した保持アームにより、型枠または生コンクリートに保持することができる。しかし、このような保持装置は、継続して行うコンクリート注型作業を阻害するものである。これは特に、より多くののクランプ装置を階天井全体にわたって配置するからである。さらに、上述の保持アームの到達距離が制限されているため、広大な階天井に使用することはできない。レールを被覆することができないため、コンクリート注型作業時に、コンクリートがレールに付着してしまうおそれを完全に払拭することができない。仮にコンクリートがレールに付着した場合、コンクリート注型後に手間をかけてレールの洗浄を行うことが必要になる。
【先行技術文献】
【特許文献】
【０００４】
【特許文献１】国際公開第２００８／００７０５４号パンフレット
【発明の概要】
【発明が解決しようとする課題】
【０００５】
本発明の課題は、コンクリート注型作業の前および作業中に、保持レールを迅速に、個別に、かつ確実に、位置決めすることを可能にする位置決め装置を提供することにある。
【課題を解決するための手段】
【０００６】
本発明の課題は、コンクリートで固定すべき保持レールに、位置決め素子を取り付けるためのアダプタによって解決することができる。本発明によるアダプタは、保持レールを嵌め込むことができる収容部と、位置決め素子をアダプタに取り付けることを可能にする、少なくとも１つの連結部とを有する。保持レールは、種々の位置決め素子を固定することができるアダプタによって、所定の位置に保持し、このアダプタとともにコンクリートに埋設する。位置決め素子は多数の位置決め素子から選択することができるため、位置決め素子の素早い交換を可能にする連結部との連係により、迅速かつ個別にアダプタおよび保持レールの保持位置を調整することができる。すなわち、保持レールの保持は、アンカー素子に全く依存することなく位置決め素子の選択またはその調整のみによって行う。アダプタは、市販されている様々なレールに付加的な調整を行うことなく、これらとともに使用することができる。アダプタはレールと係止しないため、コンクリート注型作業時にコンクリートがレール内に付着するのを防止する目的で、レールを被覆もしくは発泡材料またはスチロール材料で充填することができる。
【０００７】
好適には、収容部は１個の底部と２個の脚部とともにＵ字状に形成する。これにより、保持レールを相互の形状嵌合で保持することができるため、レールに付加的な固定手段を設ける必要がなくなる。
【０００８】
好適な実施形態では、底部および／または脚部のうちの一方または双方に、それぞれ少なくとも１個の連結部を設ける。好適には、アダプタは、互いに対し直交する２つの方向に位置決め素子用の連結部を少なくとも１個有するため、互いに直交する２つの方向における位置の調整が、例えば、水平方向および垂直方向において可能になる。
【０００９】
保持レールを確実に収容部内に固定するため、少なくとも一方の脚部に、固定素子を設け、この固定素子に固着素子を固着する構成とすることができる。固着素子は、収容部を閉じることにより、アダプタが保持レールを周方向において完全に包囲する。これにより、コンクリート注型作業の前および作業中にレールを確実に収容部によって保持することができる。コンクリートの硬化後、保持レールが堅固にコンクリート構造部に埋設される。固着素子は、コンクリートの硬化後に取り外すことができるため、保持レールを制限なくその全長にわたって使用することができる。
【００１０】
例えば、固定素子は２個のアイレットとして構成し、固着素子はこれら２個のアイレットに挿通する結束具とし構成することができる。このような結束具により、付加的な工具を使用することなく、収容部を容易に収縮させることができるようになる。さらに、コンクリートの硬化後、上記の結束具を容易に取り外すことができる。
【００１１】
固定素子は、代案としてフックとして構成し、固着素子はこのフックに係止する蓋として構成することも可能である。
【００１２】
上記の蓋は、ヒンジによって一方の脚部に固定してもよいため、蓋が外れることなくアダプタに保持することができる。
【００１３】
位置決め素子を確実にアダプタに固定するため、連結部は、好適には、アンダーカットを有し、このアンダーカットは、特に溝、レール、バヨネット連結部またはねじの形式として形成する。これらの連結形状に共通しているのは、例えば、摺動、ねじ戻しまたは位置決め素子の回転によって、容易かつ迅速に位置決め素子の交換を可能にする点にある。さらに、位置決め素子は、アンダーカットにより連結部に対して直交する、方向に、張力および圧力の下でアダプタに保持することができる。
【００１４】
さらに、本発明によれば、上述したタイプのアダプタ、およびアダプタの連結部に固定する、少なくとも１個の位置決め素子を有する保持システムを提供する。位置決め素子は、予め形成した多数の異なる位置決め素子から選択可能であるため、保持レールを所望の位置に調整することが可能になる。
【００１５】
位置決め素子としては、例えば、スペーサ(Spacer)として機能し得る支柱があり、支柱を型枠内または鉄筋の一部に支持することができるものとする。好適には、異なる長さの支柱を選択できるようにすることで、個別の状況に応じた調整が可能になる。
【００１６】
代案として支柱の長さを調節可能にすることにより、位置決め素子を交換することなく、位置決め素子の長さを状況に応じて適合させることもできる。
【００１７】
長さの調節は、連結部または付加的な位置決め素子によっても行うことができる。すなわち、上記のロッドの長さを調節可能にアダプタに取り付けるようにすることで、１個の支柱の長さによって異なる位置での位置決めが可能になる。
【００１８】
位置決め素子は台座を有し、この台座によってアダプタを支持することもできる。台座によって、より大きな設置面積を得ることができることによって、例えば、位置決め素子を鉄筋上の一部に支持することができるようになる。
【００１９】
本発明のアダプタは、一例として、少なくとも部分的に合成物質で構成することができる。合成物質は、一方で、硬化したコンクリート内で腐食しないため、後にコンクリートに亀裂を発生させる危険性がなくなる。他方で、合成物質は、建設現場に一般的な工具を使用することによっても加工することができるため、例えば、位置決め素子の長さを容易に調節することが可能になる。
【００２０】
さらに、位置決め素子を部分的にコンクリートまたはセメント結合可能な材料で形成することができる。この場合、位置決め素子を型枠部分に支持する場合、例えば、打ち放しコンクリートに目視可能な異物感が生じなくなる。さらに、位置決め素子に周囲のコンクリートと同様の機械的特性を持たせることができるようになる。
【００２１】
さらに、本発明は、特許請求の範囲に記載のように、コンクリートで固定すべき保持レールおよびアダプタを有する保持システムを提供し、この保持システムは、保持レールを堅固にアダプタ内に保持し、かつアダプタに多数の利用可能な位置決め素子から選択した位置決め素子を取り付けるものとする。
以下、本発明の他の利点および特徴を、添付図面につき詳述する。
【図面の簡単な説明】
【００２２】
【図１】本発明によるアダプタの斜視図である。
【図２】保持レールおよび図１に示すアダプタを有する保持システムの説明図である。
【図３】図２に示す保持システムの、コンクリート構造部用の型枠内に配置した状態を示す説明図である。
【図４】位置決め素子の一部を示す詳細図である。
【図５】位置決め素子の他の一部を示す詳細図である。
【図６】図１に示すアダプタを有する、保持システムの第２実施形態を示す部分斜視図である。
【図７】アダプタの第２実施形態に基づき、保持システムを型枠内に配置した状態を示す説明図である。
【図８】アダプタの第３実施形態を示す図である。
【図９】長さを調節可能な位置決め素子の一実施形態を示す図である。
【図１０】保持レール、図１に示すアダプタおよび図９に示す位置決め素子で構成する保持システムを示す説明図である。
【発明を実施するための形態】
【００２３】
図１は、保持レール５０を収容することができる収容空間１２を設けたアダプタ１０を示し、保持レール５０を、形成すべきコンクリート構造部材内において保持することができるようにする(図２および図３も参照)。保持レール５０は、ほぼＣ字状またはＵ字状の断面を有し、また保持レール５０の上側に、構造部用の固定手段を保持することができる溝５２有する。保持レール５０の溝とは構造反対側における下側には、ロッド状のアンカー素子５４を固定する。図３に示すように、保持レール５０を、例えば、天井等のコンクリート構造部を形成する際に使用するコンクリート型枠８０に組み入れ、コンクリート注型の際にコンクリート内に埋設する。コンクリート型枠８０は上方が開放し、また側面型枠８２、ならびに下面型枠８４を有する。型枠８０には、コンクリート構造部用の鉄筋８６を配置する。
【００２４】
コンクリート構造部のコンクリート注型の際、保持レール５０の溝５２に対してコンクリート構造部材の外側からアクセスできるよう、注型する。これにより、例えば、屋上構築部のような構造部で保持レール５０に固定することができるようになる。アンカー素子５４により、保持レール５０はコンクリートの硬化後、堅固にコンクリート構造部内に保持される。
【００２５】
アダプタ１０は収容部１４を有し、収容部１４は、底部１６および２個の互いに対向する脚部１８，２０によりＵ字状に構成する（図１参照）。脚部１８，２０の遊端２４，２６に蓋２２を保持し、収容空間１２を周方向に閉じることができる。蓋２２は、薄片ヒンジ３４によって第２脚部２０の遊端２６に連結し、しかも係止素子２８によって、第１脚部１８の遊端２４に設け、かつ係止フックとして構成した固定素子３２に固定できる。
【００２６】
アダプタ１０における収容空間１２側とは背反する外面側で底部１６および脚部１８，２０に、それぞれ位置決め素子用の連結部３６，３８，４０を設ける。各連結部３６，３８，４０は、蟻継ぎ状の断面およびアンダーカットした連結面４１を有するレールとして構成する。
【００２７】
収容空間１２側に面する脚部１８，２０の内面側に、それぞれ収容空間１２に指向するばね素子４２，４４を設ける。これらばね素子４２，４４によって、保持レール５０を収容部１４内に堅固にクランプすることができる。これは、保持レール５０をアダプタ１０内に嵌め込む際、アダプタ１０が保持レール５０の外面に設けた肉厚部５３と係合することに由来する。
【００２８】
図２から明らかな通り、各連結部３６，３８，４０のいずれにも位置決め素子４６を固定することができる。アダプタ１０は、適切な位置決め素子４６を使用することにより、例えば、型枠８０または鉄筋８６の一部に支持することができるため、アダプタ１０は、このアダプタ内に保持する保持レール５０とともに、コンクリート注型作業前および作業中に、確実に規定した位置に保持することができる。
【００２９】
底部１６および脚部１８，２０のそれぞれに連結部３６，３８，４０を設けるため、アダプタ１０は適切な位置決め素子４６を使用することによって、水平方向のみならず垂直方向においても位置を調整し、保持することができる。水平方向では、位置決め持素子４６を側面型枠８２に支持することができ、垂直方向では、鉄筋８６または下面型枠８４に支持することができる。
【００３０】
位置決め素子４６は、スリーブ５６を固定したベースプレート４８を有する。ベースプレート４８の両側に互いに平行に延在し、内方に食い込むレール５５を設け、これらレール５５によって、位置決め素子４６をアンダーカットした連結面４１に固定することができる。レール５５の長手方向側におけるベースプレート４８の端部に２個の係止素子５７を設け、これら係止素子５７を連結部３８の端部に係止させることで、位置決め素子４６を長手方向に固定することができる。
【００３１】
スリーブ５６には、支柱６０を挿入することができる。支柱６０の長さは、支柱６０自体を型枠８０または鉄筋８６に支持することができるよう、選択することができる（図３参照）。この場合、例えば、支柱６０を中空体として構成し、かつ開口６１を設ける（図３参照）。上記の開口６１からコンクリートが支柱６０内に流入し、これにより位置決め素子４６における損傷を可能な限り減少させることができる。
【００３２】
支柱６０は、予め製造した、異なる長さのものを供給することができるため、適切な長さの支柱６０を選択することができるが、支柱６０を施工現場において所望の長さに調節する、または長さを調節可能に構成することができる。
【００３３】
支柱６０の保持レール５０側とは反対側の端部には、位置決め素子４６の他の部分、例えば支持素子６２または台座６４を付加的に取り付けることもでき、これらはいずれも位置決め素子４６の設置面積を拡大させる。
【００３４】
例えば、図４は、星形の支持素子６２を示し、支持素子６２は、位置決め素子４６を丸みがある構造部分、例えば、鉄筋８６の一部の上に支持させるのに適している。
【００３５】
図５は、型枠８０に対する設置面積を拡大させることができる台座６４を示す。さらに、台座６４は、その下側をアダプタ１０の連結部３６，３８，４０に嵌め込むことができるよう構成する。すなわち、台座６４は、例えば、保持レール５０を鉄筋８６上に支持するように（図６参照）、アダプタ１０に固定することができる。さらに、台座６４は、支柱６０および付加的な台座６４またはスリーブ５６を介して、第２アダプタ１０を第１アダプタ１０に連結することもできる。
【００３６】
アダプタ１０は、コンクリート注型作業中、コンクリートが十分に硬化するまで保持レール５０を所定位置に保持する。アダプタ１０および位置決め素子４６，４８は、硬化したコンクリート内に残留するが、荷重支持機能はない。保持レール５０とコンクリート構造部との間における荷重伝達は、コンクリートの硬化後、コンクリート構造部とアンカー素子５４または保持レール５０との間の形状密着によってのみ生じる。従って、蓋２２はコンクリートの硬化後に除去し、保持レール５０の溝５２をその長さ全体にわたって利用することができるようになる。アダプタ１０は、保持レール５０または溝５２内に係合することがないため、コンクリート注型作業中に溝５２をカバーすることによって、コンクリートが付着することを防止することができる。さらに、溝５２には、例えば、コンクリートの硬化後に簡単に除去できる発砲材を充填することもできる。
【００３７】
アダプタ１０または位置決め素子４６の腐食を防止するため、これらを、好適には、合成物質で製造する。代案として、アダプタ１０および位置決め素子４６を、少なくとも部分的にコンクリートまたは他のセメント接合可能な材料で構成することもできる。
【００３８】
上述したレール状の連結部３６，３８，４０以外の連結方法も、本発明の範囲内で想定することができる。特に、連結部３６，３８，４０を、例えば、バヨネット連結部またはねじによる連結部とすることもできる。図７に示す実施形態では、例えば、連結部３６，３８をそれぞれ円形状に構成し、かつ周方向にアンダーカットを形成した連結面４１を設ける。さらに、位置決め素子４６または位置決め素子４６のベースプレート４８には、複数個の星状に配置した係止素子６５を設け、これら係止素子６５が連結面４１に係合できるようにする。
【００３９】
上述のヒンジで連結した蓋２２を設けた実施形態以外にも、両側の脚部１８，２０に設ける係止フックに蓋２２を係止させる実施形態を、本発明の範囲内で実施することができる。さらに、蓋２２以外の適切な固着素子を使用することによって、収容部１４を閉じることもできる。例えば、蓋２２の他に、遊端２４、２６のそれぞれに設けたアイレット６６，６８に固定するケーブル結束具７５を使用することができる（図８参照）。
【００４０】
図９および図１０に、長さが調節可能な位置決め素子４６に関する他の好適な一実施形態を示す。ここでは、支柱６０を、上方へのばね弾性力を有する脚部７２および下方へのばね弾性力を有する脚部７４を有するばねプレート７０に固定する。支柱６０に対する取り付けのため、脚部７２，７４を圧縮し、支柱６０を開口７６，７８に挿通する。その後、脚部７２，７４を圧縮状態から釈放することにより、互いに上方または下方に分離する。これにより、支柱６０が開口７６，７８において傾動し、確実に保持することができるようになる。位置決め素子４６の長さを調節する際、脚部７２，７４を圧縮することによって、支柱６０を保持状態から釈放することができる。ただし、他の任意のクランプ方法、または長さを調節する方法も行うことができる。
【符号の説明】
【００４１】
１０    アダプタ
１２    収容空間
１４    収容部
１６    底部
１８    脚部
２０    脚部
２２    蓋（固着素子）
２４    遊端
２６    遊端
２８    係止素子
３２    固定素子
３６    連結部
３８    連結部
４０    連結部
４１    アンダーカットした連結面
４２    ばね素子
４４    ばね素子
４６    位置決め素子
４８    ベースプレート
５０    保持レール
５２    溝
５３    肉厚部
５４    ロッド状のアンカー素子
５５    レール
５６    スリーブ
５７    係止素子
６０    支柱
６１    開口
６２    支持素子
６４    台座
６５    係止素子
６６    アイレット
６８    アイレット
７０    ばねプレート
７２    脚部
７４    脚部
７５    結束具（固着素子）
７６    開口
７８    開口
８０    コンクリート型枠
８２    側面型枠
８４    下面型枠
８６    鉄筋
【図１】
2011241676.tif 000003
【図２】
2011241676.tif 000004
【図３】
2011241676.tif 000005
【図４】
2011241676.tif 000006
【図５】
2011241676.tif 000007
【図６】
2011241676.tif 000008
【図７】
2011241676.tif 000009
【図８】
2011241676.tif 000010
【図９】
2011241676.tif 000011
【図１０】
2011241676.tif 000012